(57)【要約】【課題】  風量が大きいハイパワーの電気掃除機に装着し掃除する際も、吸込口先端が潰れることなく、正常にごみを吸込むことができる吸込具を提供する。【解決手段】  複数のチューブを備えた箒部と、該箒部と接続する継手部と、を備えた吸込具において、前記継手部は、一端は電気掃除機の導入管と接続可能であり、他端は箒部と接続し、前記一端から前記他端の間に孔を有することを特徴とする電気掃除機の吸込具。【選択図】図４
2019187577.tif 000002
【特許請求の範囲】
【請求項１】
複数のチューブを備えた箒部と、該箒部と接続する継手部と、を備え、
前記継手部は、一端は電気掃除機の導入管と接続可能であり、他端は前記箒部と連通し、前記一端から前記他端の間に孔を有することを特徴とする電気掃除機の吸込具。
【請求項２】
前記孔の開口を自在に制御できるサクションカバーを備える請求項１に記載の電気掃除機の吸込具。
【請求項３】
前記孔と、前記サクションカバーを前記継手部に備える請求項２に記載の電気掃除機の吸込具。
【発明の詳細な説明】
【技術分野】
【０００１】
本発明は、電気掃除機の吸込具に関する。
【背景技術】
【０００２】
特許文献１には、サッシの溝等の隅の部分に存在する塵埃等を効率よく吸い込むために、刷毛と、例えばゴム材の様な弾性体より成るノズルとを備える掃除機ヘッドが記載されている。
【先行技術文献】
【特許文献】
【０００３】
【特許文献１】実登３２００３３９号公報
【発明の概要】
【発明が解決しようとする課題】
【０００４】
特許文献１に記載の掃除機ヘッドでは、ノズルが弾性体のため外部から印加される応力によって自在に撓むことができる。
しかしながら、特許文献１記載の掃除機ヘッドは、ノズルが弾性体で構成され、且つ、空気の流入口がノズル先端に限られているため、風量が大きいハイパワーの電気掃除機本体に接続する場合、ノズル先端の風量が絞られ、静圧が増加することで、ノズル先端が静圧に耐えきれずに潰れてしまい、正常にごみを吸込まない恐れがある。
【０００５】
本発明は、風量が大きいハイパワーの電気掃除機に装着し掃除する際も、吸込口先端が潰れることなく、正常にごみを吸込むことができる吸込具を提供することにある。
【課題を解決するための手段】
【０００６】
前記課題を解決するために、本発明は、複数のチューブを備えた箒部と、該箒部と接続する継手部と、を備え、前記継手部は、一端は電気掃除機の導入管と接続可能であり、他端は箒部と連通し、前記一端から前記他端の間に孔を有することを特徴とする。  
【発明の効果】
【０００７】
本発明によれば、風量が大きいハイパワーの電気掃除機に装着し掃除する際も、風量調整を容易にし、吸込口先端が潰れることなく、正常にごみを吸込むことができる吸込具を提供することにある。
【図面の簡単な説明】
【０００８】
【図１】電気掃除機を示す斜視図である。
【図２】図１の右側面図の中央断面図である。
【図３】ほうき型吸口を示す斜視図である。
【図４】（ａ）は図３の側面図、（ｂ）は図４（ａ）の２００ａを１８０度回動させた図である。
【図５】ほうき型吸口のチューブのみを示す斜視図である。
【図６】（ａ）は図５をＡ視から見た図であり、（ｂ）は図５をＢ視から見た図である。
【図７】（ａ）はサクションカバーの斜視図であり、（ｂ）は（ａ）の正面図である。
【図８】ホースとほうき型吸口が嵌合したときの側面図である。
【発明を実施するための形態】
【０００９】
一般的に電気掃除機は、吸引したゴミを紙パック内に圧縮する紙パック式の集塵装置と、旋回気流により遠心分離し集塵装置内に収容するサイクロン方式の集塵装置と、大きく分けて二種類の集塵方式がある。
【００１０】
図１に電気掃除機１００を示す。電気掃除機１００はコードリール１０１を有し、コンセント等から電動送風機１０２などへ電力を供給し、大風量で掃除することを可能とする。本実施例では、電動掃除機１００の集塵装置にサイクロン掃除機を選択しているが、大風量の掃除機を示すためであるため、紙パック式でも良い。
【００１１】
図３はサッシのレール、小物が収納された引き出しの中などを掃除するためのほうき型吸口２００である。ほうき型吸口２００はゴミを掃くための刷毛体２０１と、ゴミを吸い込むための例えばゴム材やエラストマー等の柔軟な材質のチューブ２０２とを有した前部２００ａと、電気掃除機１００に接続される接続部２０３を有した後部２００ｂで構成されている。後部２００ｂの接続部２０３は、図２に示す電気掃除機１００の導入管１０３と嵌合する。
【００１２】
前部２００ａと後部２００ｂは関節部２０４で接続されており、刷毛体２０１とチューブ２０２とを有した前部２００ａの向きを変更することが可能である。後部２００ｂを固定した状態から、前部２００ａは３６０度回転することができ、図４（ａ）は図３（ｃ）の側面図であり、図４（ｂ）は図４（ａ）の前部２００ａを１８０度回転させた状態である。ほうき型吸口２００は電気掃除機１００または導入管１０３または延長ホース１０５に接続され、接続ボタン１０７により接続部２０３が固定される。図５に示すＸ−Ｘ線は、後部２００ｂの中心線であり、図中に示す矢印の前後方向と水平である。また、図４に示すＹ−Ｙ線は、前部２００ａの中心線である。Ｘ−Ｘ線とＹ−Ｙ線から成る角度θは、前部２００ａを回転させたときに変化し、１５度から５０度の範囲で回動する。本実施例においては、前後方向より１５度以上下を向いた状態から回動することで、さらに下向きにすることができるがこの限りではなく、前部２００ａが略水平方向から下向きに回動しても良い。このほうき型吸口２００は前方から後方に向かい引くように掃除を行う場合を想定しており、可動範囲内で刷毛体２０１及びチューブ２０２は常に前後方向から見て下向きとなるため、前述したような掃除がし易い。
【００１３】
前述した前部２００ａは複数のチューブ２０２を刷毛体２０１で覆うように構成されている。本実施例においてチューブ２０２は、図３（ｃ）の図中矢印の上下方向に２列、左右方向に３本の計６本が配列されている。刷毛体２０１はチューブ２０２の先端よりも前方に約５ｍｍ長くしている。刷毛体２０１がチューブ２０２の先端よりも短い場合、チューブ２０２で清掃面を擦り、ゴム材やエラストマー等の柔軟な材質が清掃面に付着する場合がある。また、刷毛体２０１がチューブ２０２の先端よりも長すぎる場合、刷毛体２０１が清掃面に接した状態で、チューブ２０２の先端は清掃面から大きく離れ、吸引力が弱くなる。したがって、刷毛体２０１とチューブ２０２の先端との距離は約３〜５ｍｍ刷毛体２０１がチューブ２０２の先端よりも長い方が望ましい。ただし、刷毛体２０１とチューブ２０２の先端との距離は、電気掃除機１００の吸引力の影響を受けるため、この限りではない。
【００１４】
図５は、ほうき型吸口２００のチューブ２０２のみを示す斜視図である。さらに、図５中に示すＡ視を図６（ａ）に、Ｂ視を図６（ｂ）に示す。チューブ２０２は小さな物品を吸い込まない程度の径とし、本実施例では約８ｍｍの両端が開口した略円筒状であり、電気掃除機１００と流体的に連通し、前部２００ａはチューブ端部２１０からのみ空気を吸引する。チューブ２０２は略円筒状としているが、矩形や多角形の断面でも良い。
【００１５】
チューブ端部２１０は図６（ａ）に示すように、Ａ視からは略Ｓ字状に見える波形状部７２０を設けている。波形状部２２０は直径約５ｍｍの円弧を繋いだ形状である。例えば、チューブ端部２１０を斜めにカットした場合、カットした角度と同じ傾きでチューブ端部２１０を清掃面に近づけると、清掃面に吸い付くことがある。しかし、本実施例のようにチューブ端部７１０に波形状部２２０を設けることで、清掃面と接した際に常に隙間ができ、清掃面へ吸い付くことを抑制できる。このような波形状部２２０を設けるとＢ視のように凹部２３０および凸部２４０ができるため、さらに隙間を設けることができる。本実施例では波形状部２２０を約５ｍｍとしているが、波形状部２２０はチューブ２０２の径で変化するためこの限りでない。
【００１６】
また、前述したように本実施例では、チューブ２０２を６本設けており、それぞれを２０２ａから２０２ｆとする。チューブ２０２ａはＢ視から見て凹部２３０が略手前側、凸部２４０が略奥側の配置となり、チューブ２０２ｃはＢ視から見て凹部２３０が略奥側、凸部２４０が略手前側の配置となる。チューブ２０２ｂはＡ視から見て凹部２３０が略奥側、凸部２４０が略手前側の配置となる。チューブ２０２ｄはチューブ２０２ａと略同様の配置となり、チューブ２０２ｆはチューブ２０２ｃと略同様の配置となる。チューブ２０２ｅはＡ視から見て凹部２３０が略手前側、凸部２４０が略奥側の配置となる。これにより、凹部２３０及び凸部２４０は同方向を向かないため、隅部に入り込んだ際、チューブ端部２１０が絞られず、吸引力の低下を抑制できる。
【００１７】
このようなチューブ端部２２０の形状にすることで、前述したように清掃面に吸い付くことなく、また、コインなど小物の張り付きを抑制し、サッシのレールや小物が収納された引き出しの中が掃除し易い。
【００１８】
後部２００ｂは導入管１０３またはホース１０５に接続される接続部２０３と孔２０７が開口したサクションバルブ部２０５で構成されている。
ほうき型吸口７００を導入管１０３またはホース１０５に接続した状態で、電気掃除機１００の動作を開始すると、チューブ２０２の先端からの塵埃と空気の吸引に加え、孔２０７からの空気を吸引することになる。孔２０７から空気を吸引することで、孔２０７がないものに比べて、チューブ２０２の先端から吸込む塵埃や空気の量を低減し、静圧を低減している。
【００１９】
電気掃除機１００が低風量の場合は、チューブ２０２先端から吸込む空気の量が少ないため、チューブ２０２先端が静圧により潰れたり、刷毛体２０１がチューブ２０２先端に吸い寄せられたりする恐れが少ない。対して、チューブ２０２先端の開口面積を変えず、電気掃除機１００が大風量の場合は、チューブ２０２先端から吸込む空気の量が増加するためチューブ２０２先端が静圧により潰れたり、刷毛体２０１がチューブ２０２先端に吸い寄せられたりし、正常にごみを吸込むことができない恐れがある。
【００２０】
対して、本実施例のように、孔２０７があるほうき型吸口７００では、孔２０７がないものに比べて、吸い込む空気の量がチューブ２０２先端と孔２０７とで分散されるため、チューブ２０２先端から吸い込む空気の量が少なくなり、チューブ２０２先端の静圧が小さくなるため、チューブ２０２先端が潰れることを抑制することが可能であり、吸引力を保持することが可能である。孔２０７の形状は楕円形、開口面積を１０６．７ｍｍ２、孔の個数は１２個である。なお、本実施例において、サクションバルブ部２０５に孔２０７を有しているが、効果を得ることができる場所であれば、この限りではなく、刷毛保持部２０６にも孔を有することができる。さらに、孔２０７の形状は楕円形、開口面積を１０６．７ｍｍ２、孔の個数は１２個としているが、チューブ２０２の開口面積および電気掃除機１００の吸引力に影響を受けるため、孔２０７の形状および開口面積、個数はこの限りではない。孔２０７の位置は紙面上、手前および奥方向に開いているが、上下方向に孔２０７が開くことでも同様の効果が得られる。
【００２１】
サクションバルブ部２０５にはサクションカバー２０８が取り付け可能である。図７（ａ）はサクションカバー２０８の斜視図であり、図７（ｂ）は図７（ａ）の正面図である。サクションカバー２０８は図７（ｂ）に示すように、扇形であり、サクションバルブ部２０５を覆うことが可能な形状である。サクションカバー２０８は本体の周方向で回動可能であり、使用者がサクションカバー２０８を周方向に回動させることで、孔２０７の開口面積を自由自在に制御できる。サクションカバー２０８を自在に動かすことで、孔２０７の開口面積を全閉状態から全開状態まで調整することを可能とする。これにより、使用者は運転モードおよび電気掃除機１００の風量に合わせてほうき吸口２００のゴミの吸引力を自在に制御することを可能とする。例えば、強運転の場合は、サクションカバー２０８を用いて孔２０７の開口面積を全開にすることで、チューブ２０２先端が静圧により潰れたり、刷毛体２０１がチューブ２０２先端に吸い寄せられたりすることを抑制する。弱運転の場合は、サクションカバー２０８を用いて孔２０７の開口面積を全閉にすることで、チューブ２０２の先端から吸込む塵埃や空気の量を増加させることを可能とする。サクションカバー２０８はサクションバルブ部２０５に設けることで、使用者の手が届きやすく、孔２０７の開口面積の調整を容易にする。なお、本実施例において、サクションカバー２０８は周方向に回動可能であるが、前後方向に可動することでも同様の効果を得ることができる。また、サクションカバー２０８の形状を扇形としているが、孔２０７を塞ぐ形状であれば、同様の効果が得られる。サクションカバー２０８の寸法はφ３０ｍｍだが、サクションバルブ部の外周の寸法に依存するため、この限りではない。
【００２２】
なお、本実施例では後部２００ｂに孔２０７を設けているが同様の効果を奏すことができればこの限りではない。例えば、複数のチューブ２０２を備えたところを箒部、一端は電気掃除機の導入管と接続可能であり、他端は箒部と連通するところを継手部と呼ぶと、継手部の一端から継手部の他端の間に孔を有するものでもよい。
【符号の説明】
【００２３】
１００  電気掃除機
１０１  コードリール
１０２  電動送風機
１０３  導入管
１０４  接点部
１０５  ホース
１０６  接点部
１０７  接続ボタン
２００  ほうき型吸口（応用吸口体）
２００ａ  前部
２００ｂ  後部
２０１  刷毛体
２０２  チューブ
２０２ａ  チューブａ
２０２ｂ  チューブｂ
２０２ｃ  チューブｃ
２０２ｄ  チューブｄ
２０２ｅ  チューブｅ
２０２ｆ  チューブｆ
２０３  接続部
２０４  関節部
２０５  サクションバルブ部
２０６  刷毛保持部
２０７  孔
２０８  サクションカバー
２１０  チューブ端部
２２０  波形状部
２３０  凹部
２４０  凸部
【図１】
2019187577.tif 000003
【図２】
2019187577.tif 000004
【図３】
2019187577.tif 000005
【図４】
2019187577.tif 000006
【図５】
2019187577.tif 000007
【図６】
2019187577.tif 000008
【図７】
2019187577.tif 000009
【図８】
2019187577.tif 000010